(57)【要約】【課題】着用者の臀部を覆う臀部被覆部と当該臀部被覆部に対向する配置で着用者の下腹部両脇前面を覆う左右の前部被覆部とが胴回り方向で筒形に一体成型された製編衣類において、高生産性を確保しつつも衣類としての機能性（風合いや見栄えなど）に生じる問題を完全に回避し、そのうえでローライズデザインの特徴を遺憾なく発揮できて、使用者間に好き嫌いが生じるのを可及的に抑制できる。【解決手段】臀部被覆部２と左右の前部被覆部３とはコース数が同じであり、臀部被覆部２では複数本の糸より成るコースを含むことによって左右の前部被覆部３よりも丈方向に長く形成されている。【選択図】図１
2020147871.tif 000002
【特許請求の範囲】
【請求項１】
着用者の臀部を覆う臀部被覆部と当該臀部被覆部に対向する配置で着用者の下腹部両脇前面を覆う左右の前部被覆部とが胴回り方向で筒形に一体成型された製編衣類において、
前記臀部被覆部と左右の前記前部被覆部とはコース数が同じであり、
前記臀部被覆部では複数本の糸より成るコースを含むことによって左右の前記前部被覆部よりも丈方向に長く形成されている
ことを特徴とする臀部被覆部を含んだ製編衣類。
【請求項２】
前記臀部被覆部は、左右の前記前部被覆部に比べて地糸と添え糸とで添え糸編又は引き揃え編したコースを多く含んだ編組織によって形成されていることを特徴とする請求項１に記載の臀部被覆部を含んだ製編衣類。
【請求項３】
左右の前記前部被覆部は、前記臀部被覆部に比べてフロート編したコースを多く含んだ編組織によって形成されていることを特徴とする請求項１又は請求項２に記載の臀部被覆部を含んだ製編衣類。
【請求項４】
前記臀部被覆部は、ループ長が長く形成されたループを有するコースが左右の前記前部被覆部に比べて多い編組織によって形成されていることを特徴とする請求項１乃至請求項３のいずれか１項に記載の臀部被覆部を含んだ製編衣類。
【請求項５】
衣類は、男性用のローライズパンツ又は女性用のローライズショーツであることを特徴とする請求項１乃至請求項４のいずれか１項に記載の臀部被覆部を含んだ製編衣類。
【発明の詳細な説明】
【技術分野】
【０００１】
本発明は、着用者の臀部を後側から被覆する部分（以下、「臀部被覆部」と言う）を含んだ形体で製編された衣類（例えばボクサーパンツ、ボクサーショーツなど）のうち、ローライズのデザインを採用したものに関する。
【背景技術】
【０００２】
近年、臀部被覆部を含んだ形体で製編された衣類では、男女用を問わず、「ローライズ」と呼ばれるデザインが流行している（例えば特許文献１，２等参照）。
このローライズデザインは、図８（ａ）に示すように股間１００から履き口（ウエストゴム部分）１０１までの丈ｈ（股上）を短くして着用者の上半身をスマートに見せ掛けることを特徴としたものである。また、このような見栄え上の特徴に加え、履き口１０１の前部が着用者の下腹部よりも下側に配置されることを要因として、下腹部の窮屈感や圧迫感が解放されるという履き心地上の利点をも有している。
【０００３】
このようなローライズデザインは、パンツやショーツ等の下着だけでなく、パンティストッキングやスポーツレギンス、スパッツ等のように、下着の上から着用するものにも広く採用されている。
なお、ローライズデザインでは、しゃがんだり前屈みになったりしたときにパンティストッキング形体等では履き口１０１の後部側等から下着が露出しやすく、パンツ形体等にいたっては図８（ｂ）に示すように着用者の臀部の一部上側までもが露出してしまうということがあった。そのため、ファッションセンスとしての好き嫌いが大きく分かれるところとなっており、意図した露出を望まない使用者からは敬遠される大きな要因となっていた。
【先行技術文献】
【特許文献】
【０００４】
【特許文献１】実用新案登録第３１２０１３５号公報
【特許文献２】実用新案登録第３１１４３６７号公報
【発明の概要】
【発明が解決しようとする課題】
【０００５】
ところで、パンツなどの衣類を製造する方法として、丸編機などを用いて一体成型による筒状生地を製編し、１着相当のピースに分離した後、このピースに股下のマチ部分をカットソーにより取り付ける生産方法が採用されることがある。そしてこのような生産方法は、ローライズデザインのパンツやショーツでも適用対象となる。
しかし当然のことながら、筒状生地は全周にわたってコース数が一定になるから、衣類の前身頃部分と後身頃部分とで着用時の丈寸法も同じになってしまう。前記したように、ローライズデザインは股間１００から履き口１０１までの丈ｈが短いことが特徴であるので、前身頃部分の丈寸法を短くすることによって必然的に後身頃部分の丈寸法も短くなり、前記した意図していない露出に伴う難点を解消することはできない。
【０００６】
なお、製編に用いる丸編機として、特殊な反転丸編機などを選べば、筒形における周方向の一部だけコース数を変化させることが可能になるから、これにより後身頃に相当する半周だけコース数を増加させて前身頃部分よりも後身頃部分の丈寸法を大きくさせることは可能となる。
或いは、一般的な丸編機でも、前身頃部分と後身頃部分との境界部で糸切替を行って糸種（番手や伸縮性などの違い）を異ならせることにより、前身頃部分よりも後身頃部分の丈寸法を僅かながら大きくさせることは可能である。
【０００７】
しかしながら、コース数の変化や糸切替の採用では、前身頃部分と後身頃部分の境界部に丈方向に沿って孔が集まった領域や色が斑になる領域を生じさせ、見栄えが悪化することがあった。また糸の局部的な重なりや糸端の集合によって衣類の肌側面に立体的な継ぎ目が現出し、ゴワツキが生じることもあった。
のみならず、コース数の変化や糸切替を行うたびに糸入れや糸抜きが必要になるので、生産性は極度に低下することになり、そもそも一体成型を採用することの意義が失われてしまう。
【０００８】
なお、一体成型とは異なり、例えばガードルの製作工程のように、始めからカットソーによって前身頃部分と後身頃部分を複数のパーツ生地から縫製することでも前身頃部分より後身頃部分の丈寸法を大きくさせることは可能であるが、このような手法は縫製作業者の熟練度を揃えて高品質を安定させる必要が生じ、益々、生産性を低下させる結果となるので採用は難しい。
【０００９】
このように、ローライズデザインの採用には、衣類としての機能性（風合いや見栄えなど）に生じる問題の回避や、生産性（コスト面を含む）の問題などを回避するという理由から、一体成型による筒状生地を利用するのが好適であるものの、前身頃部分と後身頃部分とでコース数を同じにせざるを得ないという事情を払拭することはできないものであった。その結果、このようにして製作した衣類では着用時の丈寸法が前身頃部分と後身頃部分とで同じになるから、前記した意図していない露出に伴う難点を解消することはできないでいた。
【００１０】
本発明は、上記事情に鑑みてなされたものであって、高生産性を確保しつつも衣類としての機能性（風合いや見栄えなど）に生じる問題を完全に回避し、そのうえでローライズデザインの特徴を遺憾なく発揮できて、使用者間に好き嫌いが生じるのを可及的に抑制できるようにした臀部被覆部を含んだ製編衣類を提供することを目的とする。
【課題を解決するための手段】
【００１１】
前記目的を達成するために、本発明は次の手段を講じた。
即ち、本発明に係る臀部被覆部を含んだ製編衣類は、着用者の臀部を覆う臀部被覆部と当該臀部被覆部に対向する配置で着用者の下腹部両脇前面を覆う左右の前部被覆部とが胴回り方向で筒形に一体成型された製編衣類において、前記臀部被覆部と左右の前記前部被覆部とはコース数が同じであり、前記臀部被覆部では複数本の糸より成るコースを含むことによって左右の前記前部被覆部よりも丈方向に長く形成されていることを特徴とする。
【００１２】
前記臀部被覆部は、左右の前記前部被覆部に比べて地糸と添え糸とで添え糸編又は引き揃え編したコースを多く含んだ編組織によって形成されたものとするとよい。
左右の前記前部被覆部は、前記臀部被覆部に比べてフロート編したコースを多く含んだ編組織によって形成されたものとするとよい。
前記臀部被覆部は、ループ長が長く形成されたループを有するコースが左右の前記前部被覆部に比べて多い編組織によって形成されたものとするとよい。
衣類は、男性用のローライズパンツ又は女性用のローライズショーツとして実施することができる。
【発明の効果】
【００１３】
本発明に係る臀部被覆部を含んだ製編衣類であれば、高生産性を確保しつつも衣類としての機能性（風合いや見栄えなど）に生じる問題を完全に回避し、そのうえでローライズデザインの特徴を遺憾なく発揮できて、使用者間に好き嫌いが生じるのを可及的に抑制できるものとなる。
【図面の簡単な説明】
【００１４】
【図１】本発明衣類の側面図である。
【図２】本発明衣類の一実施形態を示したものであって（ａ）は正面側から見た斜視図であり（ｂ）は背面側から見た斜視図である。
【図３】本発明衣類の臀部被覆部に採用可能な編組織の第１例を示した組織図である。
【図４】本発明衣類の臀部被覆部に採用可能な編組織の第２例を示した組織図である。
【図５】本発明衣類の前部被覆部に採用可能な編組織の第２例を示した編図である。
【図６】本発明衣類の前部被覆部に採用可能な編組織の第３例を示した編図である。
【図７】本発明衣類の前部被覆部に採用可能な編組織の第４例を示した編図である。
【図８】ローライズデザインを採用した従来の男性用ボクサーパンツを示したものであって（ａ）は正面側から見た斜視図であり（ｂ）は背面側から見た斜視図である。
【発明を実施するための形態】
【００１５】
以下、本発明の実施の形態を説明する。
図１乃至図３は、本発明に係る臀部被覆部を含んだ製編衣類（以下、「本発明衣類」と言う）１の一実施形態を示している。
本実施形態の本発明衣類１は、男性用のボクサーパンツとして実施したものを例示している。そのため、着用者の臀部を覆う臀部被覆部２と、この臀部被覆部２に対向する配置で着用者の下腹部両脇前面を覆う左右の前部被覆部３と、これら左右の前部被覆部３に挟まれた前立て部４と、前立て部４の下端と臀部被覆部２の下端とを繋いで左右の裾口５を区画形成させるマチ部６と、臀部被覆部２、左右の前部被覆部３及び前立て部４の上端を周方向に繋ぐようにして衣類上周部を形成している履き口部（ウエストゴム部）７とを有している。
【００１６】
また、パンツのデザインとしてローライズを採用したものとなっており、股間（マチ部６）から履き口７までの丈ｈ（股上）を、標準的な寸法（ローライズではないパンツの丈）よりも短くしてある。
本発明衣類１は、丸編機などによって製編された筒状生地を基に、１着相当のピースに分離した後、このピースに股下のマチ部６をカットソーにより取り付けることによって製作されている。そのため、臀部被覆部２と左右の前部被覆部３とは、胴回り方向で筒形に一体成型された関係にある。
【００１７】
本発明衣類１では、臀部被覆部２と左右の前部被覆部３とはコース数が同じとされている（図１及び図２ではコースを二点鎖線で模式的に表現している）。そして、このような構成でありながら本発明衣類１では、図１に示すように臀部被覆部２が左右の前部被覆部３よりも丈方向に長く形成されている。このような構成を実現させるために、少なくとも臀部被覆部２を形成しているコースに対して、その一部又は全部に複数本の糸を含ませるようにしてある。
【００１８】
なお、ここにおいて「コース数」は、編みが進行する方向に形成されるループの並びを衣類丈の方向で数えたものである。すなわち、編みが進行する方向は衣類周方向なので、この衣類周方向が「コース（本明細書ではコース方向と同義とおく）」である。これに対して、コース（又はコース方向）と垂直に交差する方向（衣類丈方向）を「ウエール（本明細書ではウエール方向と同義とおく）」と呼ぶ。
【００１９】
図３は臀部被覆部２に採用可能な編組織の第１例を示した組織図である。この図３から明らかなように、臀部被覆部２は、地糸１０と添え糸１１とで添え糸編（プレーティング編）を３コース、天竺編によって連続させて、地糸１０のみの天竺編コースを１コース混ぜるようにした４口リピートとしてある。
これに対して前部被覆部３では、図示は省略するが全てのコースを地糸１０のみで天竺編したものとしてある（これを前部被覆部３の第１例とおく）。
【００２０】
そのため、臀部被覆部２では、前部被覆部３よりも４コース当たり３コースでボリュウムアップされたものとなっており、このボリュウムアップされただけ、臀部被覆部２の丈寸法が長くなっている。
地糸１０を構成する糸には、例えば、ポリウレタン弾性糸に代表されるような弾性繊維を使用することができる。またカバリング糸（いわゆるＦＴＹ）を用いることも可能である。なお、地糸１０にカバリング糸を採用すると、ベア糸を使用する場合に比べてしなやかな伸び縮み挙動が得られることになり、結果として、臀部被覆部２や前部被覆部３に適切な伸縮性が得られる点で好適と言える。
【００２１】
カバリング糸を使用する場合の一例として、芯糸を１７ｄｔｅｘのポリウレタン糸としカバー糸を３３ｄｔｅｘのナイロン糸とすることを例示することができる。またこの場合の添え糸１１には、７８ｄｔｅｘのナイロン糸を組み合わせることを例示できる。
これに対して添え糸１１を構成する糸には、綿などの天然繊維、セルロース、レーヨン、キュプラ等の再生繊維、アクリル等の合成繊維を用いることが可能である。地糸１０と添え糸１１とを異種の糸にすることが殊更限定されるわけではないので、添え糸１１にポ
リウレタンやポリエステルを採用することも可能である。
【００２２】
特にナイロンやポリエステル、レーヨン等の長繊維によるフィラメント糸は、通常の紡績糸よりも強度があるので、しっかりとしたループが形成でき、臀部被覆部２をより丈方向に長く形成できる点で好適と言える。
とは言え、これら地糸１０に使用する糸種や添え糸１１に使用する糸種などについては特に限定されるものではなく、前記したもの以外にも種々のものを使用することができる。
【００２３】
本実施形態では、地糸１０にポリウレタン糸を用い、原則的に衣類外面（着用時に肌側とは反対を向く面（反肌側面）を形成させるものとし、添え糸１１にナイロン糸を用いて衣類内面（肌側面）を形成させるものとした。
なお、添え糸編に代えて、引き揃え編（交編）を採用することもできる。この場合も、地糸１０と添え糸１１を同じ糸種とすることが可能である。
【００２４】
図４は臀部被覆部２に採用可能な編組織の第２例を示した組織図である。この図４から明らかなように、地糸１０と添え糸１１とで添え糸編を天竺編するコースと地糸１０のみで天竺編するコースとを１コースおきに交互に混ぜる２口リピートとしてある。
この第２例で例示するように、臀部被覆部２に対して含ませる添え糸編又は引き揃え編のコース数が特に限定されるものではなく、臀部被覆部２の丈寸法を前部被覆部３の丈寸法よりもどれだけ長くするかに応じて、適宜調整すればよいものである。
【００２５】
すなわち、前部被覆部３に対して添え糸編又は引き揃え編のコースを含ませることも可能であり、含ませる場合には、臀部被覆部２への添え糸編又は引き揃え編のコース数を、前部被覆部３へのコース数に比べて多くすればよいことになる。
例えば、図３に示した臀部被覆部２の第１例に採用した編組織や、図４に示した臀部被覆部２の第２例に採用した編組織を前部被覆部３の編組織として採用したうえで、臀部被覆部２を形成する編組織は、全コースを地糸１０と添え糸１１とによる添え糸編又は引き揃え編によって製編するようにしてもよい。
【００２６】
このような構成は、臀部被覆部２をより丈方向に長く形成することに好適である。
図５は前部被覆部３に採用可能な編組織の第２例を示した組織図である。この編組織では、臀部被覆部２に含ませる添え糸編又は引き揃え編のコース数を、前部被覆部３に含ませるコース数に比べて多くする構成とすることに加えて、左右の前部被覆部３にフロート編したコースも含ませるようにしたものである。
【００２７】
フロート編は、コースを製編する適宜ループ間隔で、針に糸をかけずにミスさせる（ウエルトにする）ことを、ウエール方向で２コース又は３コース以上に跨がらせるようにして、編地の裏に糸を浮かせるようにした組織を言う。
図５の第２例は、地糸１０にポリウレタン糸を用い、添え糸１１にナイロン糸を用いた添え糸編又は引き揃え編を１コースごとの交互にくり返しつつ、ミスを５コースにわたって繰り返した５：１編の編組織としている（ミスにより形成されたループは６コースにわたって跨る形状となるのでウエール方向の引き締めが大きく、相当する量の伸びが抑えられる）。
【００２８】
このフロート編を採用することで、前部被覆部３は緻密な組織となり、その結果として臀部被覆部２の丈寸法が前部被覆部３の丈寸法に比べて長くなる。
前部被覆部３に対してフロート編を入れるループ間隔やフロート編を跨がらせるコース数は、特に限定されるものではなく、前部被覆部３の丈寸法をどれだけ詰めるか（臀部被覆部２の丈寸法を前部被覆部３の丈寸法よりもどれだけ長くするかに同じことになる）に応じて、適宜調整すればよいものである。
【００２９】
例えば図６は、前部被覆部３にフロート編を採用した第３例の編図である。この第３例では、地糸１０にポリウレタン糸を用い、添え糸１１にナイロン糸を用いた添え糸編又は引き揃え編を１コースごとの交互にくり返しつつ、ミスを３コースにわたって繰り返した３：１編の編組織としている（ミスにより形成されたループは４コースにわたって跨る形状となるのでウエール方向の引き締めが大きく、相当する量の伸びが抑えられる）。
【００３０】
また図７は、前部被覆部３にフロート編を採用した第４例の編図である。この第４例では、地糸１０にポリウレタン糸を用い、添え糸１１にナイロン糸を用いた添え糸編又は引き揃え編を１コースごとの交互にくり返しつつ、ミスを３コースにわたって繰り返した１：１編の編組織としている（ミスにより形成されたループは２コースにわたって跨る形状となるのでウエール方向の引き締めが生じ、相当する量の伸びが抑えられる）。
【００３１】
ミスにより形成されるループを大きくするほど（例えば１：１編に比べて５：１編のフロート編とした組織のほうが）、前部被覆部３の丈寸法を短くすることに対して有利である。
また、前部被覆部３にフロート編を採用し、臀部被覆部２は天竺編みで添え糸編（プレーティング編）とすれば、臀部被覆部２の丈寸法を前部被覆部３の丈寸法に比べて長くすることに好適となる。
【００３２】
なお、地糸１０を構成する糸と添え糸１１を構成する糸を入れ替えて構成することもできる（例えば、臀部被覆部２は天竺編みで全コースを添え糸編とし、前部被覆部３は５：１編のフロート編として地糸１０にナイロン糸、添え糸１１にポリウレタン糸を用いるような場合も可能である）。
なお、臀部被覆部２に対してフロート編のコースを含ませることを排除するわけではなく、要は、前部被覆部３に含ませるフロート編のコース数を、臀部被覆部２へのコース数に比べて多くすればよいことになる。
【００３３】
更に、図示は省略するが、臀部被覆部２は、添え糸編又は引き揃え編のコース数を、前部被覆部３に含ませる添え糸編又は引き揃え編のコース数に比べて多くすることに加えて、ループ長が長く形成されたループを有するコースの比較において、臀部被覆部２の方が左右の前部被覆部３に比べて多くなる編組織とすることもできる。
ループ長を長くするには、針又はシンカによる糸の引き下げ量を大きくすればよい。なお、該当するコースを形成する全てのループが、ループ長を長く形成されたものとする必要はなく、ループ長の長いループの配置や配置数などは適宜選択できるものである。
【００３４】
このように、ループ長の長いループを有するコースを設けることで、臀部被覆部２は伸縮性の豊富な組織となり、その結果として臀部被覆部２の丈寸法が前部被覆部３の丈寸法に比べて長くなる。
臀部被覆部２において、１コース中に対してループ長の長いループを入れる配置数や、このようなコースを入れるコース数は、特に限定されるものではなく、臀部被覆部２の丈寸法を前部被覆部３の丈寸法よりもどれだけ長くするかに応じて、適宜調整すればよいものである。
【００３５】
なお、前部被覆部３に対してループ長の長いループが含まれたコースを設けることを排除するわけではなく、要は、臀部被覆部２に含ませる該当のコース数を、前部被覆部３に入れる該当のコース数に比べて多くすればよいことになる。
以上詳説したところから明らかなように、本発明衣類１では、臀部被覆部２と左右の前部被覆部３とのコース数が同じでありながら、臀部被覆部２が左右の前部被覆部３よりも丈方向に長く形成されている。そのため、ローライズデザインを採用しても、しゃがんだり前屈みになったりすることによる履き口７からの下着露出や、着用者の臀部の一部露出が起こらないようにできるものである。
【００３６】
これにより、意図した露出を望まないような使用者から、敬遠されることも抑制できることになり、使用者間に好き嫌いが生じるのを可及的に抑制できるものとなる。そのため多くの使用者へ向けて、ローライズデザインの特徴を遺憾なく発揮できるような機会を与えられるものである。
勿論、一体成型による筒状生地を利用して衣類製作ができるので、衣類としての機能性（風合いや見栄えなど）に生じる問題の回避や、生産性（コスト面を含む）の問題などの回避が可能となる。
【００３７】
ところで、本発明は、前記した実施形態に限定されるものではなく、実施の形態に応じて適宜変更可能である。
例えば、天竺編に代えてゴム編など、その他の編組織を採用することができる。
履き口７は、別のパーツ生地やウエストゴムなどを取り付けたり、編組織や使用糸種を部分的に変更したりすることにより、ウエストゴム部として形成することが限定されるものではなく、生地自体の緊締性を利用したものとすることができる。
【００３８】
前部被覆部３に対するフロート編コースの採用と、臀部被覆部２に対するループ長が長く形成されたループを有するコースを設けることの採用とを、併用することは勿論可能である。
地糸１０や添え糸１１には、ベア糸だけでなくカバリング糸を用いることも可能である。
【００３９】
本発明衣類１は、ボクサーパンツやボクサーショーツ等の下着だけでなく、パンティストッキングやスポーツレギンス、スパッツ等のように、下着の上から着用するものにも広く採用可能である。また、ビキニタイプのパンツやショーツ、或いはブルマーなど、裾口５を切り取りによって仕上げるような衣類にも採用可能である。
前立て部４やマチ部６は必ずしも必要とされるものではなく、衣類形体などに応じて省略したり、又は図示したものとは異なる形状にしたりすることもできる。
【符号の説明】
【００４０】
１  臀部被覆部を含んだ製編衣類（本発明衣類）
２  臀部被覆部
３  前部被覆部
４  前立て部
５  裾口
６  マチ部
７  履き口部
１０  地糸
１１  添え糸
【図１】
2020147871.tif 000003
【図２】
2020147871.tif 000004
【図３】
2020147871.tif 000005
【図４】
2020147871.tif 000006
【図５】
2020147871.tif 000007
【図６】
2020147871.tif 000008
【図７】
2020147871.tif 000009
【図８】
2020147871.tif 000010